(57)【要約】【課題】  簡単に装着交換することができるとともに高い固定性を有する介護具を提供する。【解決手段】  敷き布団やベッドマット等の任意の敷き具幅に合わせたベースシート部と該ベースシート部の両側辺からそれぞれ延設された側辺シート部とよりなるベースシート本体と、前記任意の敷き具幅に近似した幅で使用者の下半身排出物を受ける形状よりなり防水手段を有する交換シートと、前記側辺シート部と前記交換シートの相対する側辺を着脱する着脱機構とより構成される。【選択図】図１
2008212597.tif 000002
【特許請求の範囲】
【請求項１】
敷き布団やベッドマット等の任意の敷き具幅に合わせたベースシート部と該ベースシート部の両側辺からそれぞれ延設された側辺シート部とよりなるベースシート本体と、前記任意の敷き具幅に近似した幅で使用者の下半身排出物を受ける形状よりなり防水手段を有する交換シートと、前記側辺シートと前記交換シートの相対する側辺を着脱する着脱機構とよりなる介護具。
【請求項２】
前記ベースシート部に防滑手段を設けたことを特徴とする請求項１記載の介護具。
【請求項３】
前記側辺シート部に長さ調整手段を設けたことを特徴とする請求項１又は２記載の介護具。
【発明の詳細な説明】
【技術分野】
【０００１】  本発明は、簡単に装着交換することができるとともに高い固定性を有する介護具に関するものである。
【背景技術】
【０００２】  従来、特許文献１に示すように、任意の敷布団より幅広で左右を折り返し敷布団の左右下部に巻き込む尿汚れ防止の敷布団カバーと、該敷布団カバー左右端を固定する複数のベルトからなる介護具があった。
特許文献２に示すように、敷布団に一方の固定具を設け、他方の固定具を有し少なくとも左右を折り返し敷布団の左右下部に巻き込むタオルケットよりなる寝具があった。
特許文献３に示すように、ファスナーを有するシーツと、前記ファスナーに着脱するファスナーを左右側辺に有する寝具があった。
【特許文献１】  実用新案登録第３１２２７１３号
【特許文献２】  特開２００２−１７５３９号
【特許文献３】  実開平０３−２７６６３号
【発明の開示】
【発明が解決しようとする課題】
【０００３】  そのために、次のような問題があった。
特許文献１に示す技術にあっては、ベルト装着にあたり、敷布を敷布団に被せた上で折り返し部をベルトで固定するが、その作業のためには布団を持ち上げたり、裏返す作業が必要となっていた。
特許文献２、特許文献３は尿受けを目的とした介護具ではなく寝具である。技術においても、特許文献２は敷布団自体に固定具を有するものであり、病室など定められた敷布団に対して使用することができなかった。
特許文献３においても、シーツ自体に固定具を有するものであり、任意の敷布団を利用することができない。
上記特許文献２、特許文献３においては、尿で汚れた場合、全体を洗濯する必要性があった。
本発明は以上の欠点を解決するものである。
【課題を解決するための手段】
【０００４】  敷き布団やベッドマット等の任意の敷き具幅に合わせたベースシート部と該ベースシート部の両側辺からそれぞれ延設された側辺シート部とよりなるベースシート本体と、前記任意の敷き具幅に近似した幅で使用者の下半身排出物を受ける形状よりなり防水手段を有する交換シートと、前記側辺シート部と前記交換シートの相対する側辺を着脱する着脱機構とよりなる。【０００５】  ベースシート部に防滑手段を設けたことを特徴とする。【０００６】  側辺シート部に長さ調整手段を設けたことを特徴とする。
【発明の効果】
【０００７】  本発明を使用することで、任意のシーツを利用できるとともに下半身排出物を受ける交換シートを利用することでシーツ汚れを回避することができる。また、交換シートだけの洗濯で尿汚れを処理できるので非常に効率的である。
また、ベースシート本体を敷き布団やベッドマット等の任意の敷き具の下に配置されることで、敷布団と就寝者の自重により固定されるので、これに装着された交換シートのずれやめくれを保護し、確実に排出物を受けることができる。
また、交換シートの着脱機構が敷布団から露出した位置にあることで、容易に交換シートの脱着ができる。【０００８】  ベースシート部に防滑手段を設けることで、より固定性を高めることができる。【０００９】  側辺シート部に長さ調整手段を設けることで、敷布団の厚さや幅に合わせて調整することができるので様々な敷布団に使用することができる。
【発明を実施するための最良の形態】
【００１０】  以下、本発明の第一実施の形態について図１から図５を用いて説明する。
図１は本発明の展開図、図２は本発明の使用方法を示す分解斜視図、図３は本発明の使用方法を示す分解正面図、図４は本発明の断面図、図５は本発明の使用状態図である。
本発明は図１に示すように、ベースシート本体１と、交換シート２と、これら両側辺を着脱可能に取り付ける着脱手段から構成されている。本事例において、着脱機構としてオープンファスナー５を利用して説明する。
ベースシート本体１は、任意の布団やベッド用マットレス等の敷き寝具の幅に近似した幅のベースシート部３と、該ベースシート部３の両側辺からそれぞれ延設された側辺シート部４とより構成される。ベースシート部３の表裏中央には薄いラバーシートなどの一般的に防滑手段として利用される防滑シート７ａ，７ｂが設けられている。各側辺シート部４の開放辺にはオープンファスナーの雄雌であるファスナー５ａ、ファスナー５ｂがそれぞれ設けられている。
交換シート２は任意の布団やベッド用マットレス等の敷き寝具の幅に近似した幅よりなり、図３に示すように表地１３の裏面に防水層８が設けられている。この際、表地としてはシーツに利用される綿等の吸水性素材であることが好ましい。防水層としては、防水シートを貼り付けたものや、防水コーティング等の一般的に利用される技術である。左右の開放辺には、前記ベースシート本体に設けられたファスナー５ａ，５ｂに着脱可能なファスナー５ｂ，５ａが対応する位置に設けられている。
本発明は以上の構成よりなる。
これを使用するときは、図示するようにベースシート本体１を床に配置し、シーツ１２を被せた布団１０を左右中央にあわせ置く。この際、ベースシート本体１は布団１０に対して、図５に示すように利用者の下半身の排泄物を受ける位置とする。
次に、前記ベースシート本体１の両端ファスナーに対応させる位置に交換シートをあわせ、下に防水層８がくるようにして取り付ける。この際、図４に示すように側辺シート４の適切な位置でおりあげた状態となり、交換シート２とベースシート本体１とによりシーツ１２を掛けた布団１０を包みこむ状態となる。
これを利用することで、就寝者が糞尿をした場合、防水層８を有する交換シート２が下のシーツ１２や布団１０を汚さないようにこれを受ける。
交換シート２が汚れた場合、この交換シート２のみを交換することで対処できる。この際、ベースシート本体１はそのままの状態でよく、布団を持ち上げたり操作することなく交換ができる。
洗濯も交換シートのみでよいので、簡単に洗濯が可能となる。
使用時において、布団及び就寝者の自重によりベースシート本体１が抑えられ、交換シート２はベースシート本体１との連結及び就寝者の自重により抑えられるので、ずれたりまくれることがなく、安定した状態で利用できる。
また、防滑シート７を利用することにより、床や布団とのズレをより確実に防ぐことが可能となる。
本実施形態において防滑シートとして表裏に設けているがどちらか一方でも安定性を向上させることが可能である。【００１１】  以下、本発明の第二実施の形態について図６から図８を用いて説明する。
図６は本発明の第二実施の展開図、図７は本発明の第二実施の使用説明図、図８は本発明の第二実施の使用説明図である。
本実施形態は、側辺シートに伸縮性のある伸縮シート９を用いたものである。他の基本構成は前記実施形態と同様である。
これを利用することにより、厚みや幅の異なる敷き寝具に対応して両方に利用することができる。
図７は布団１０に対して利用している状態である。この際、伸縮シート９はほとんど伸縮せず、前記実施形態と同様の状態となる。
これを厚手のベッド用のマットレス１１に利用したのが図８である。この際、伸縮シート９が伸びることによって長さを調整し、マットレス１１にも同様に利用することができる。
また、肉厚だけではなく布団幅に対しても、若干幅広のものに対して伸縮シート１２が伸びることで対応する。【００１２】  以下、本発明の第三実施の形態について図９から図１１を用いて説明する。
図６は本発明の第三実施の展開図であり、図９ａは表面図、図９ｂは裏面図である。図７は本発明の第三実施の使用説明図、図８は本発明の第三実施の使用説明図である。
本発明は着脱機構として、面ファスナー６を利用したものである。交換シート２の左右側辺の裏面にそれぞれ幅の狭い面ファスナー雄６ａが設けられており、側辺シート４のそれぞれの裏面に幅広の面ファスナー雌６ｂが設けられている。
これを使用する場合、厚みのあるマットレス１１に利用したのが図１０であり、それより薄い布団１０に利用したのが図１１である。各敷き寝具の厚さに応じて側辺シート４を折り返し、面ファスナー６の着脱位置を変えて交換シート２を取り付けることにより、厚さや幅の異なる寝具に対応させて使用することができる。
【図面の簡単な説明】
【００１３】
【図１】本発明の展開図
【図２】本発明の使用方法を示す分解斜視図
【図３】本発明の使用方法を示す分解正面図
【図４】本発明の断面図
【図５】本発明の使用状態図
【図６】本発明の第二実施の展開図
【図７】本発明の第二実施の使用説明図
【図８】本発明の第二実施の使用説明図
【図９】本発明の第三実施の展開図
【図１０】本発明の第三実施の使用説明図
【図１１】本発明の第三実施の使用説明図
【符号の説明】
【００１４】１  ベースシート本体、
２  交換シート、
３  ベースシート部、
４  側辺シート部、
５；５ａ；５ｂ  ファスナー、
６；６ａ；６ｂ  面ファスナー、
７；７ａ；７ｂ  防滑シート、
８  防水層、
９  伸縮シート、
１０  布団、
１１  マットレス、
１２  シーツ、
１３  表地
【図１】
2008212597.tif 000003
【図２】
2008212597.tif 000004
【図３】
2008212597.tif 000005
【図４】
2008212597.tif 000006
【図５】
2008212597.tif 000007
【図６】
2008212597.tif 000008
【図７】
2008212597.tif 000009
【図８】
2008212597.tif 000010
【図９】
2008212597.tif 000011
【図１０】
2008212597.tif 000012
【図１１】
2008212597.tif 000013